(57)【要約】【課題】  間仕切パネルの一部に表裏に貫通する開口部を設けたオープン型パネルと棚板を組合わせた全く新しいタイプの棚付き間仕切パネルを提供する。【解決手段】  間仕切パネルのフレームの両側縦杆又は両側支柱間の少なくとも一部に、表裏に貫通する開口部Ｓを形成し、開口部内に配するとともに、両端部を前記縦杆又は支柱に取付けたブラケット４で支持した棚板３を設けた。また、棚板を間仕切パネルの表裏両側に突出するように開口部内の下端部に取付けている。【選択図】        図１
2005113562.tif 000002
【特許請求の範囲】
【請求項１】
間仕切パネルのフレームの両側縦杆又は両側支柱間の少なくとも一部に、表裏に貫通する開口部を形成し、該開口部内に配するとともに、両端部を前記縦杆又は支柱に取付けたブラケットで支持した棚板を設けたことを特徴とする棚付き間仕切パネル。
【請求項２】
前記フレームの両側縦杆又は両側支柱の表裏両面に上下一対の開口を形成するとともに、四角形状の額縁部材の背面側両側上下部に設けた係止具を前記開口に嵌合係止して取付け、表裏両側に取付けた額縁部材にて前記開口部の周囲を形成してなる請求項１記載の棚付き間仕切パネル。
【請求項３】
前記棚板を間仕切パネルの表裏両側に突出するように前記開口部内の下端部に取付けてなる請求項１又は２記載の棚付き間仕切パネル。
【請求項４】
前記額縁部材の縦枠の下部であって、表裏両側の額縁部材の突合せ部分の一部に切欠部を形成して、前記縦杆又は支柱の内側面を露出させ、前記ブラケットに該切欠部内に侵入する取付部を形成し、該取付部を前記縦杆又は支柱の内側面に取付けてなる請求項１〜３何れかに記載の棚付き間仕切パネル。
【発明の詳細な説明】
【技術分野】
【０００１】
本発明は、棚付き間仕切パネルに係わり、更に詳しくは上下中間位置に棚板を備えた棚付き間仕切パネルに関するものである。
【背景技術】
【０００２】
従来、間仕切パネルにブラケットを介して棚板を取付けることは公知である。通常、間仕切パネルの両側縦枠若しくは連結用の支柱の表裏面側に上下方向に所定間隔毎に係止孔を形成し、そして間仕切パネル間の目地部に臨んだ前記係止孔にブラケットの基端部に設けたフックを嵌合係止し、該ブラケットに棚板を載置した状態で取付ける構造が一般的である。
【０００３】
例えば、特許文献１には、間仕切パネルのパネル板の前面側にブラケットを用いて任意の高さ位置に棚板を支持した構造が開示されている。また、特許文献２には、間仕切パネルの上部の表裏両面側にブラケットを取付け、左右二対のブラケットに棚板を載置して下方からネジ止めし、当該間仕切パネルの上端を跨ぐように取付けた棚板を、カウンターテーブルとして使用する構造が開示されている。
【０００４】
ところで、近年、室内空間のデザインの多様性を図り、また開放的な雰囲気を醸し出すために、間仕切パネルの一部に表裏に貫通する開口部を設けたオープン型パネルを使用することが増えているが、このオープン型パネルの開口部に棚板を設けることは従来は全くなく、またそのための構造の提案もなされてないのが現状である。
【特許文献１】実公平６−１９４７号公報（第１図）
【特許文献２】実開平５−４６３２１号公報（図１、図３、図４）
【発明の開示】
【発明が解決しようとする課題】
【０００５】
そこで、本発明が前述の状況に鑑み、解決しようとするところは、間仕切パネルの一部に表裏に貫通する開口部を設けたオープン型パネルと棚板を組合わせた全く新しいタイプの棚付き間仕切パネルを提供する点にある。
【課題を解決するための手段】
【０００６】
本発明は、前述の課題解決のために、間仕切パネルのフレームの両側縦杆又は両側支柱間の少なくとも一部に、表裏に貫通する開口部を形成し、該開口部内に配するとともに、両端部を前記縦杆又は支柱に取付けたブラケットで支持した棚板を設けた棚付き間仕切パネルを構成した（請求項１）。
【０００７】
ここで、前記フレームの両側縦杆又は両側支柱の表裏両面に上下一対の開口を形成するとともに、四角形状の額縁部材の背面側両側上下部に設けた係止具を前記開口に嵌合係止して取付け、表裏両側に取付けた額縁部材にて前記開口部の周囲を形成してなることが好ましい（請求項２）。
【０００８】
また、前記棚板を間仕切パネルの表裏両側に突出するように前記開口部内の下端部に取付けてなることも好ましい（請求項３）。
【０００９】
更に、前記額縁部材の縦枠の下部であって、表裏両側の額縁部材の突合せ部分の一部に切欠部を形成して、前記縦杆又は支柱の内側面を露出させ、前記ブラケットに該切欠部内に侵入する取付部を形成し、該取付部を前記縦杆又は支柱の内側面に取付けてなることがより好ましい（請求項４）。
【発明の効果】
【００１０】
以上にしてなる請求項１に係る発明の棚付き間仕切パネルは、間仕切パネルの一部に表裏に貫通する開口部を設けたオープン型パネルと棚板を組合わせた全く新しいタイプの棚付き間仕切パネルを提供することができる。
【００１１】
請求項２によれば、フレームの両側縦杆又は両側支柱の表裏両面に形成した上下一対の開口に、額縁部材の背面側両側上下部に設けた係止具を嵌合係止して取付けるだけで開口部を形成することができ、しかも前記一対の開口を縦杆又は支柱に上下方向に位置を変えて複数対形成しておくことにより、開口部を所望の高さに形成することができ、また複数の開口部を上下に並設することができ、更に開口部を設けない位置には開口を利用してパネル板を取付けて塞ぐこともできる。
【００１２】
請求項３によれば、間仕切パネルの表裏両側に棚板が突出するので、開口部と合わせて多様な使用形態を実現でき、例えば花瓶や装飾品を置いたり、カウンターとして使用することもでき、更に間仕切パネルで区画された室内空間のデザイン性を高めることができる。
【００１３】
請求項４によれば、棚板を支持するブラケットを縦杆又は支柱の内側面に直接取付けることができるので、棚板の支持強度を高めることができる。
【発明を実施するための最良の形態】
【００１４】
次に、本発明に係る棚付き間仕切パネルを、添付図面に基づき詳細に説明する。図１は棚付き間仕切パネルの構造を示し、図２〜図７はその詳細を示し、図中符号１はフレーム、２は額縁部材、３は棚板、４はブラケット、５はパネル板、６は巾木、７は笠木、８は側カバーをそれぞれ示している。また、図中符号Ｓは開口部を示している。
【００１５】
本発明に係る棚付き間仕切パネルは、前記フレーム１の表裏両面に、前記額縁部材２，２を取付けて開口部Ｓを形成するとともに、その他の部分には上下に複数に分割したパネル板５,…を着脱可能に取付け、そして前記棚板３を開口部Ｓ内に配するとともに、両端部を前記フレーム１の縦杆又は支柱に取付けたブラケット４，４で支持し、更に下端部に巾木６を取付け、上端には笠木７を取付け、更に端部に位置するフレーム１の側端には側カバー８を取付けた基本構造を有している。
【００１６】
前記フレーム１は、図２及び図６に示すように、角パイプからなる両側縦杆９，９の上下端部間に上横杆１０と下横杆１１をそれぞれ横設するとともに、上下中間部間に単又は複数の中横杆１２を横設したものである。また、前記縦杆９の表面中央部には前記額縁部材２及びパネル板５を係止する上下一対の開口１３，１３を、上下方向に位置を変えて複数対形成するとともに、側端縁に沿った上下方向にオプション支持用のフックを係止するための係止孔１４，…を一定間隔毎に形成している。
【００１７】
前記額縁部材２は、アルミニウムの押出し型材の端部を４５度の角度で切断して両側縦枠１５，１５と上下横枠１６，１６を形成し、その切断部で突き合わせた状態でＬ金具１７にてネジ止め連結し、正面視四角形状となしたものである。ここで、前記縦枠１５は、断面略Ｌ字形を有し、前記フレーム１の縦杆９の前面側に位置する表面部１５Ａと縦杆９の約半分の厚さだけ内側面に沿って進入する内側面部１５Ｂとを有している。また、前記横枠１６も前記縦枠１５と同じ断面形状を有している。そして、前記額縁部材２の両縦枠１５，１５の表面部１５Ａ，１５Ａの背面側上下部に前記一対の開口１３，１３に嵌合係止する係止具１８，１８をそれぞれ突設し、該係止具１８，…を所定高さの縦杆９の開口１３，…に嵌合係止して前記フレーム１の表裏両面から取付ける。そして、前記フレーム１の表裏両面に一対の額縁部材２，２を取付けると、各額縁部材２，２の内側面部１５Ｂ，１５Ｂが突き合わされ、該フレーム１の縦杆９を隠蔽し、両額縁部材２，２で前記開口部Ｓの周囲が形成される。
【００１８】
前記パネル板５は、図４及び図７に示すように、スチール製の表面板１９の背面側周囲に縁部２０を形成し、少なくとも両側縁部２０，２０には前記表面板１９と略平行な折曲板２１を形成し、該折曲板２１の上下部に取付孔（図示せず）を形成し、下方の取付孔に下部連結具２２を内嵌するとともに、上方の取付孔に上部連結具２３を内嵌したものである。そして、前記フレーム１の両側の縦杆９，９に形成した上下左右の開口１３，…に、前記下部連結具２２に設けた下向きフック２４を係止するとともに、前記上部連結具２３に設けた係合爪２５を抜止め状態で弾性係合させて前記パネル板５を着脱自在に取付けるのである。尚、前記パネル板５は、前記表面板１９を覆うようにクロスを張ったものでも良く、またクッション性を有する化粧シートを貼ったものでも、スチール面を塗装仕上げしたものでも良い。また、前記パネル板５として、多数の小孔が開いたパチングメタルや波板状に成形したものを採用することも可能である。
【００１９】
ここで、上下一対の開口１３，１３は最小単位であり、前記額縁部材２及びパネル板５の上下幅の最小単位に対応するが、連続する上下二対の最上位の開口１３と最下位の開口１３を用いれば最小単位の２倍の上下幅の額縁部材２及びパネル板５を取付けることができる。同様に、最小単位の整数倍の上下幅を有する前記額縁部材２及びパネル板５を上下方向に組合わせて取付けることができる。
【００２０】
本発明では、前記フレーム１に複数対の額縁部材２，２を上下方向に連続的に設けても良いが、本実施形態では適宜な高さ位置に一対の額縁部材２，２を取付けて開口部Ｓを形成し、他の空間は複数のパネル板５，…を取付けて覆っている。ここで、前記額縁部材２の上方横枠１６の上縁には弾性材で作成した目地部材２６を取付け、上方に位置するパネル板５の下縁との隙間を閉鎖するとともに、各パネル板５の上縁にも同様な目地部材２６を取付けて、上方に位置するパネル板５の下縁との隙間及び前記笠木７との隙間を閉鎖している。本実施形態では、前記額縁部材２の上方横枠１６の上縁とパネル板５の上縁の外形を一致させ、同じ目地部材２６を装着できるようにしている。
【００２１】
そして、図１、図３及び図４に示すように、前記棚板３を間仕切パネルの表裏両側に突出するように前記開口部Ｓ内の下端部に取付けるのである。具体的には、図２〜図４に示すように、前記額縁部材２の縦枠１５の下部であって、表裏両側の額縁部材２，２の突合せ部分の一部に、つまり前記縦枠１５の内側面部１５Ｂの下端縁部に切欠部２７を形成して、前記縦杆９の内側面を露出させ、前記ブラケット４に該切欠部２７内に侵入する取付部２８を形成し、該取付部２８を前記縦杆９の内側面にネジ止めして取付ける。前記ブラケット４は、金属板を加工して形成したものであり、側面視台形状の垂直な支持板２９の中央部に断面コ字形に外側へ膨らんだ前記取付部２８を形成するとともに、該取付部２８を挟んだ両側の支持板２９の下縁に前記棚板３を載置する受板３０，３０をそれぞれ直角に形成している。
【００２２】
前記ブラケット４の取付部２８には、ネジ止め用の孔３１を形成し、該取付部２８を前記額縁部材２，２の切欠部２７内に挿入した後、開口部Ｓ内からネジ３２を孔３１に通して直接縦杆９の内側面に螺合して取付けている。また、前記ブラケット４の各受板３０には孔３３を形成し、該受板３０に載置した前記棚板３の端部に、前記孔３３に下方から通したネジ３４を螺合して当該棚板３を強固に取付けるのである。本実施形態では、前記棚板３は木製のものを用い、前記ネジ３４を木ネジとしたが、前記棚板３はスチール製のものでも良く、その場合には棚板３の両端部下面に螺孔を形成しておき、前記ネジ３４を小ネジとするか、又は棚板３に下穴を設けておき、タッピンネジを下穴に螺合するようにしても良い。尚、前記ブラケット４は、外側に突出した取付部２８を設けずに、前記支持板２９と同一平面の取付部（図示せず）とし、該取付部を前記額縁部材２の側枠１６を介してフレーム１の縦杆９の内側面にネジ止めするなど適宜な固定手段で取付けることも可能であり、更に前記額縁部材２を用いないで開口部Ｓを形成する場合には、直接前記縦杆９の内側面に取付けることも可能である。
【００２３】
本実施形態では、図示しないが、複数の間仕切パネルを直線状に連結するには、前記フレーム１の縦杆９を隣接するフレーム１の縦杆９に接合し、両縦杆９，９を貫通したボルト、ナットで締付けて連結する構造となっている。このように、複数の間仕切パネルを連設する場合には、先ずフレーム１，１同士を連結した後、各フレーム１に前記額縁部材２あるいはパネル板５を所定位置に取付けるようにする。
【００２４】
また、本実施形態では、前記額縁部材２をフレーム１に取付ける構造として、縦杆９に設けた開口１３，１３に、前記額縁部材２の両側上下部に取付けた係止具１８，１８を嵌合係止する構造を採用したが、前記額縁部材２の縦枠１５の内側面部１５Ｂに形成した切欠部２７にブラケット４の取付部２８が嵌合した状態で、該取付部２８を縦杆９の内側面にネジ止めして取付けたので、各額縁部材２は上方へ移動することがなく、従って前記係止具１８，１８が開口１３，１３から外れることがないのである。尚、本実施形態では、前記開口部Ｓの下端部に棚板３を設けたので、つまり棚板３は額縁部材２の下方の横枠１６に接近した位置、あるいは載置された状態にあるので、この棚板３によっても前記額縁部材２の上方移動は規制されるのである。一方、前記棚板３の中央部が両額縁部材２，２の下方横枠１６，１６に載置されるので、棚板３の中央部の下方への撓みを防止することができるのである。
【００２５】
また、前記開口部Ｓ内に棚板３を取付ける他の構造として図８には、前記フレーム１の縦杆９，９に形成した係止孔１４，…に棚受ブラケット３５のフックを嵌合係止し、該棚受ブラケット３５，…に開口部Ｓ内に配した棚板３を載置固定する構造を示している。つまり、前記棚板３は、横方向の長さを前記額縁部材２あるいはパネル板５の横幅と同じか若干長く設定し、その両側端中央部には前記額縁部材２，２の縦枠１５，１５を収容する凹部３６，３６を形成したものを用いる。そして、前記開口部Ｓ内の下部に当該棚板３を装着するとともに、当該間仕切パネルの額縁部材２又はパネル板５と、隣接する間仕切パネル間又は側カバー８間の縦目地部に臨んだ前記係止孔１４，…に、前記棚受ブラケット３５の基端部に形成したフック３７，３７を嵌合係止し、当該間仕切パネルの左右両側部の表裏両面側に設けた棚受ブラケット３５，…に前記棚板３の両端部を載置し、下方からネジ止めするなどの固定手段で取付けるのである。
【００２６】
また、本実施形態では、前記開口部Ｓ内に棚板３を１枚設けたが、棚板３を２枚以上多段に設けることも勿論可能である。更に、前記開口部Ｓを上下に複数形成した場合には、複数の開口部Ｓに棚板３を設けることも可能である。また、前記棚板３以外の開口部Ｓには、両額縁部材２，２間に透明なガラス板や合成樹脂板を挟み込んで設けることも可能である。
【００２７】
本実施形態では、間仕切パネルの構造として、両側縦杆９，９と上下横杆１０，１１で構成したフレーム１の表裏両面に、額縁部材２やパネル板５を取付ける構造のものを示したが、上下の天レールと地レール間に間隔をおいて複数の支柱を立設し、隣接する支柱間に前記額縁部材２やパネル板５を取付ける構造でも良い。
【図面の簡単な説明】
【００２８】
【図１】本発明に係る棚付き間仕切パネルの全体斜視図である。
【図２】同じく要部の一部を破断して示した分解斜視図である。
【図３】同じく要部の一部を破断して示した斜視図である。
【図４】同じく要部の縦断面図である。
【図５】同じく要部の一部破断して示した正面図である。
【図６】フレームの正面図である。
【図７】フレームにパネル板を取付けた状態の部分側面図である。
【図８】開口部内に配した棚板の他の支持構造を示す斜視図である。
【符号の説明】
【００２９】
Ｓ  開口部              １  フレーム
２  額縁部材            ３  棚板
４  ブラケット          ５  パネル板
６  巾木                ７  笠木
８  側カバー            ９  縦杆
１０  上横杆            １１  下横杆
１２  中横杆            １３  開口
１４  係止孔            １５  縦枠
１５Ａ  表面部          １５Ｂ  内側面部
１６  横枠              １７  Ｌ金具
１８  係止具            １９  表面板
２０  縁部              ２０  折曲板
２２  下部連結具        ２３  上部連結具
２４  下向きフック      ２５  係合爪
２６  目地部材          ２７  切欠部
２８  取付部            ２９  支持板
３０  受板              ３１  孔
３２  ネジ              ３３  孔
３４  ネジ              ３５  棚受ブラケット
３６  凹部              ３７  フック
【図１】
2005113562.tif 000003
【図２】
2005113562.tif 000004
【図３】
2005113562.tif 000005
【図４】
2005113562.tif 000006
【図５】
2005113562.tif 000007
【図６】
2005113562.tif 000008
【図７】
2005113562.tif 000009
【図８】
2005113562.tif 000010